(57)【要約】【課題】メダルの獲得性能を好適に調整可能として遊技機の設計自由度を高める技術を提供する。【解決手段】ＢＢ１状態よりもメダルの獲得性能が高い遊技状態であるＢＢ２状態において入賞に伴うメダルの払出数がメダルの投入数よりも多くなる小役について、当該小役を入賞させることができる操作検出位置の組合せが当該小役を入賞させることができない操作検出位置の組合せより少ない。【選択図】図８
2020151299.tif 000002
【特許請求の範囲】
【請求項１】
外周面に複数種類の図柄が配列されている複数のリールと、
小役およびボーナスを含む役の当否を決定する内部抽選を行う内部抽選手段と、
前記複数のリールを遊技毎に回転させ、停止操作を契機として、停止操作が行われた時点のリールの位置である操作検出位置から所定の引き込み範囲内で当該リールの停止位置を決定して当該リールを停止させる制御を行うリール制御手段と、
前記複数のリールが停止した状態で、役毎に予め定められた入賞形態を示す図柄組合せが有効ライン上に表示されたことに基づいて、役が入賞したと判定する入賞判定手段と、
前記小役が入賞したことに基づいて、遊技媒体を払い出すための制御を行う払出制御手段と、
第１のボーナスおよび第２のボーナスを抽選対象とした内部抽選が行われる通常状態と、第１のボーナスの入賞によって移行する第１ボーナス状態と、第２のボーナスの入賞によって移行する第２ボーナス状態とを含む複数種類の遊技状態の間で遊技状態を移行させる制御を行う遊技状態移行制御手段と、
を備え、前記第２ボーナス状態が前記第１ボーナス状態よりも遊技媒体の獲得性能が高い遊技状態である遊技機であって、
前記第２ボーナス状態において入賞に伴う遊技媒体の払出数が遊技媒体の投入数よりも多くなる前記小役について、当該小役を入賞させることができる前記操作検出位置の組合せが当該小役を入賞させることができない前記操作検出位置の組合せより少ないことを特徴とする遊技機。
【請求項２】
請求項１において、
前記遊技状態移行制御手段が、
前記第１ボーナス状態において、通常状態と同じ確率で前記小役の当否が決定され、シフトボーナスを抽選対象とする役物非作動遊技と、シフトボーナスの入賞によって実行可能となり、役物非作動遊技よりも前記小役の入賞率が高い役物作動遊技とを設定可能とし、前記第２ボーナス状態において、前記役物非作動遊技を介さずに前記役物作動遊技を実行可能とする制御を行うことを特徴とする遊技機。
【請求項３】
請求項２において、
前記第１ボーナス状態における前記役物作動遊技では、前記小役が入賞した場合の遊技媒体の払出数が遊技媒体の投入数と同数であることを特徴とする遊技機。
【請求項４】
請求項２または３において、
前記リール制御手段が、
前記第１ボーナス状態における前記役物非作動遊技で所定の当選態様を得た場合には停止操作の態様に関わらずに第１の小役が入賞し、前記通常状態の遊技において当該所定の当選態様を得た場合には停止操作の態様に関わらずに第１の小役より入賞に伴う遊技媒体の払出数が少ない第２の小役が入賞するようにリールの停止位置を決定することを特徴とする遊技機。
【発明の詳細な説明】
【技術分野】
【０００１】
本発明は、遊技機に関する。
【背景技術】
【０００２】
従来から外周面に図柄が配列された複数のリールを備えた遊技機（回胴式遊技機、スロットマシン）が知られている。この種の遊技機は、メダルやパチンコ玉などの遊技媒体に対して一定の遊技価値を付与し、このような遊技媒体を獲得するための遊技を行うものである。また、この種の遊技機は、遊技者の回転開始操作を契機として、内部抽選を行うとともに複数のリールの回転を開始させ、遊技者の停止操作契機として、内部抽選の結果に応じた態様で複数のリールを停止させる制御を行っている。そして、遊技の結果は、複数のリールが停止した状態における入賞判定ライン上に表示された図柄組合せによって判定され、遊技の結果に応じてメダル等の払い出しなどが行われる。
【０００３】
この種の遊技機では、通常状態よりも役の入賞率が高くなる役物を作動させる遊技状態として有利ボーナス状態と不利ボーナス状態とを設けて、通常状態では有利ボーナス状態の移行契機となる有利ボーナスを不利ボーナス状態の移行契機となる不利ボーナスよりも高確率で当選するように内部抽選を行い、不利ボーナス状態の遊技媒体の獲得性能を通常状態と同程度に設計することによって不利ボーナス状態を擬似的に通常状態として利用して、不利ボーナス状態を終了した後に復帰する通常状態を有利ボーナスの高確率状態とする手法が知られている（特許文献１参照）。
【先行技術文献】
【特許文献】
【０００４】
【特許文献１】特開２０１０−２２７６９４号公報
【発明の概要】
【発明が解決しようとする課題】
【０００５】
上記手法を適用した遊技仕様では、不利ボーナス状態を擬似的に通常状態として利用する関係で、可能な限り不利ボーナス状態の遊技媒体の獲得性能が低いことが望まれるが、不利ボーナス状態がボーナス状態としての性能を満たしているように設計することが社会的に要請されており、遊技媒体の獲得性能を好適に設計することができる技術が求められている。
【０００６】
本発明は上記事情に鑑みてなされたものであり、その目的は、遊技媒体の獲得性能を好適に調整可能として遊技機の設計自由度を高める技術を提供することにある。
【課題を解決するための手段】
【０００７】
（１）本発明は、外周面に複数種類の図柄が配列されている複数のリールと、小役およびボーナスを含む役の当否を決定する内部抽選を行う内部抽選手段と、前記複数のリールを遊技毎に回転させ、停止操作を契機として、停止操作が行われた時点のリールの位置である操作検出位置から所定の引き込み範囲内で当該リールの停止位置を決定して当該リールを停止させる制御を行うリール制御手段と、前記複数のリールが停止した状態で、役毎に予め定められた入賞形態を示す図柄組合せが有効ライン上に表示されたことに基づいて、役が入賞したと判定する入賞判定手段と、前記小役が入賞したことに基づいて、遊技媒体を払い出すための制御を行う払出制御手段と、第１のボーナスおよび第２のボーナスを抽選対象とした内部抽選が行われる通常状態と、第１のボーナスの入賞によって移行する第１ボーナス状態と、第２のボーナスの入賞によって移行する第２ボーナス状態とを含む複数種類の遊技状態の間で遊技状態を移行させる制御を行う遊技状態移行制御手段と、を備え、前記第２ボーナス状態が前記第１ボーナス状態よりも遊技媒体の獲得性能が高い遊技状態である遊技機であって、前記第２ボーナス状態において入賞に伴う遊技媒体の払出数が遊技媒体の投入数よりも多くなる前記小役について、当該小役を入賞させることができる前記操作検出位置の組合せが当該小役を入賞させることができない前記操作検出位置の組合せより少ない遊技機に関するものである。
【０００８】
本発明では、第１ボーナス状態よりも遊技媒体の獲得性能が高い第２ボーナス状態において遊技媒体の投入数よりも多くの遊技媒体の払い出しを受けることができる小役については、その小役を入賞させることができる操作検出位置の組合せが、その小役を入賞させることができない操作検出位置の組合せより少ないことによって第２ボーナス状態での遊技媒体の獲得期待値を下げることができる。これにより第２ボーナス状態において入賞に伴う遊技媒体の払出数が遊技媒体の投入数より多くなる小役を停止操作の態様に関わらずに入賞可能とした場合に比べて通常状態と第２ボーナス状態とを含む遊技での遊技媒体の獲得性能を下げることができるので、第１ボーナス状態の遊技媒体の獲得性能を低く設計する上での自由度を高めることができる。
【０００９】
（２）本発明の遊技機では、前記遊技状態移行制御手段が、前記第１ボーナス状態において、通常状態と同じ確率で前記小役の当否が決定され、シフトボーナスを抽選対象とする役物非作動遊技と、シフトボーナスの入賞によって実行可能となり、役物非作動遊技よりも前記小役の入賞率が高い役物作動遊技とを設定可能とし、前記第２ボーナス状態において、前記役物非作動遊技を介さずに前記役物作動遊技を実行可能とする制御を行うようにしてもよい。
【００１０】
このようにすれば、第２ボーナス状態を第１ボーナス状態よりも有利な遊技状態として、第１ボーナス状態における遊技媒体の獲得性能を通常状態における遊技媒体の獲得性能と同程度にまで下げる設計が可能となる。
【００１１】
（３）本発明の遊技機では、前記第１ボーナス状態における前記役物作動遊技では、前記小役が入賞した場合の遊技媒体の払出数が遊技媒体の投入数と同数であってもよい。
【００１２】
このようにすれば、第１ボーナス状態の役物作動遊技によっては遊技媒体が増加しないようにすることができるので第１ボーナス状態の遊技媒体の獲得性能を下げやすくなる。
【００１３】
（４）本発明の遊技機では、前記リール制御手段が、前記第１ボーナス状態における前記役物非作動遊技で所定の当選態様を得た場合には停止操作の態様に関わらずに第１の小役が入賞し、前記通常状態の遊技において当該所定の当選態様を得た場合には停止操作の態様に関わらずに第１の小役より入賞に伴う遊技媒体の払出数が少ない第２の小役が入賞するようにリールの停止位置を決定するようにしてもよい。
【００１４】
このようにすれば、通常状態の遊技と第１ボーナス状態の役物非作動遊技とでは小役の当選確率が同一であっても通常状態の遊技よりも第１ボーナス状態の役物非作動遊技の方が遊技媒体を獲得しやすくすることができるので第１ボーナス状態の遊技媒体の獲得性能を好適に調整することができる。
【図面の簡単な説明】
【００１５】
【図１】本発明の実施形態の遊技機の外観構成を示す斜視図である。
【図２】本発明の実施形態の遊技機の機能ブロックを説明する図である。
【図３】本発明の実施形態の遊技機における内部抽選テーブルを説明する図である。
【図４】本発明の実施形態の遊技機における小役の当選態様を説明する図である。
【図５】本発明の実施形態の遊技機におけるリールの図柄配列を説明する図である。
【図６】本発明の実施形態の遊技機における入賞役と図柄組合せとの関係を説明する図である。
【図７】本発明の実施形態の遊技機における入賞役と図柄組合せとの関係を説明する図である。
【図８】本発明の実施形態の遊技機における遊技状態の状態遷移を説明する図である。
【発明を実施するための形態】
【００１６】
以下、本実施形態について説明する。なお、以下に説明する本実施形態は、特許請求の範囲に記載された本発明の内容を不当に限定するものではない。また本実施形態で説明される構成の全てが、本発明の必須構成要件であるとは限らない。
【００１７】
１．構成
図１は、本発明の実施形態に係る遊技機の外観構成を示す斜視図である。
【００１８】
本実施形態の遊技機は、いわゆるスロットマシンあるいは回胴式遊技機と呼ばれるもので、メダルを遊技媒体として用いた遊技を行う種類の遊技機である。
【００１９】
本実施形態の遊技機は、収納箱ＢＸ、前面上扉ＵＤ、および前面下扉ＤＤからなる箱形の筐体内に第１リールＲ１〜第３リールＲ３（複数のリール）からなるリールユニットが収められている。また筐体内のリールユニットの下部には、メダルの払出装置としてのホッパーユニット（図示省略）が収められている。また本実施形態の遊技機の筐体内には、ＣＰＵ、ＲＯＭ（情報記憶媒体の一例）、ＲＡＭ等を搭載し、遊技機の動作を制御する制御基板も収められている。
【００２０】
図１に示す第１リールＲ１〜第３リールＲ３は、それぞれ外周面が一定の間隔で２０の領域（各領域を「コマ」と称する）に区画されており、各コマに複数種類の図柄のいずれかが配列されている。また第１リールＲ１〜第３リールＲ３は、ステッピングモータ（リール駆動手段：図示省略）に軸支されており、それぞれステッピングモータの軸周りに回転駆動され、ステッピングモータの駆動パルスのパルス数やパルス幅などを制御することによって、コマ単位（所定の回転角度単位、所定の回転量単位）で停止可能に設けられている。すなわち本実施形態の遊技機では、ステッピングモータが制御基板から供給された駆動パルスに応じて第１リールＲ１〜第３リールＲ３を回転駆動し、制御基板から駆動パルスの供給が断たれると、ステッピングモータの回転が停止することに伴って第１リールＲ１〜第３リールＲ３が停止する。
【００２１】
前面上扉ＵＤと前面下扉ＤＤとは個別に開閉可能に設けられており、前面上扉ＵＤには第１リールＲ１〜第３リールＲ３の回転状態及び停止状態を観察可能にする表示窓ＤＷが設けられている。第１リールＲ１〜第３リールＲ３の停止状態では、第１リールＲ１〜第３リールＲ３それぞれの外周面に一定間隔で配列された複数種類の図柄のうち、外周面上に連続して配列されている３つの図柄（上段図柄、中段図柄、下段図柄）を遊技機の正面から表示窓ＤＷを通じて観察できるようになっている。
【００２２】
また本実施形態の遊技機では、表示窓ＤＷを通じて図柄を観察するための表示位置として、各リールについて上段、中段、下段が設けられており、各リールの表示位置の組合せによって有効ラインが設定される。なお本実施形態の遊技機では、１回の遊技に関して必要となるメダルの数、いわゆる規定投入数が遊技状態に応じて１枚または３枚のいずれかに設定され、規定投入数に相当するメダルが投入されると、各リールの中段によって構成される有効ラインＬ１が有効化される。
【００２３】
そして遊技結果は表示窓ＤＷ内の有効ラインに停止表示された図柄組合せによって判断され、有効ライン上の図柄組合せが予め定められた役に対応した図柄組合せである場合には、その役が入賞したものとしてホッパーユニットからメダルの払い出し等が行われる。
【００２４】
また前面上扉ＵＤには、遊技情報表示部ＤＳが設けられている。遊技情報表示部ＤＳは、ＬＥＤ、ランプ、７セグメント表示器等からなり、メダルのクレジット数、１回の遊技におけるメダルの払出数あるいは獲得数、ボーナス状態でのメダルの払出数の合計あるいは獲得数の合計等の各種遊技情報が表示される。
【００２５】
また前面上扉ＵＤには、遊技演出を行うための液晶ディスプレイＬＣＤが設けられている。この液晶ディスプレイＬＣＤには、遊技を補助したり、遊技を盛り上げたりするための各種の映像（または画像）が表示される。また本実施形態の遊技機では、前面上扉ＵＤや前面下扉ＤＤに対して、遊技演出を行うためのスピーカ（図示省略）が複数設けられている。このスピーカからは、遊技を補助したり、遊技を盛り上げたりするための各種の音声が出力される。
【００２６】
また前面下扉ＤＤには、各種の操作手段が設けられている。操作手段としては、クレジット（貯留）されたメダルを投入する操作を行うためのベットボタン（投入操作手段）Ｂ０、第１リールＲ１〜第３リールＲ３を回転させて遊技を開始する契機となる操作を行うためのスタートレバー（遊技開始操作手段）ＳＬ、ステッピングモータにより回転駆動されている第１リールＲ１〜第３リールＲ３のそれぞれを停止させる契機となる操作を行うためのストップボタン（停止操作手段）Ｂ１〜Ｂ３などが設けられている。
【００２７】
本実施形態の遊技機では、遊技者がメダルをメダル投入口ＭＩに投入するか、ベットボタンＢ０を押下する操作を行うことで、第１リールＲ１〜第３リールＲ３の回転制御を開始することが可能な準備状態にセットされる。そして、遊技者がスタートレバーＳＬを押下すると、制御基板において第１リールＲ１〜第３リールＲ３をステッピングモータの駆動により回転開始させるとともに、乱数値を用いた内部抽選が行われ、第１リールＲ１〜第３リールＲ３の回転速度が所定の速度まで上昇したことを条件に、ストップボタンＢ１〜Ｂ３の押下操作が許可（有効化）される。
【００２８】
その後、遊技者が任意のタイミングでストップボタンＢ１〜Ｂ３を押下していくと、ストップボタンＢ１〜Ｂ３のそれぞれに内蔵されているストップスイッチ（停止信号出力手段：例えば、フォトセンサ、導通センサ、圧力センサなど）がオン動作を行い、制御基板に入力されるリール停止信号をオフ状態からオン状態へ変化させる。
【００２９】
また遊技者が任意のタイミングで押下状態にあるストップボタンＢ１〜Ｂ３を解放すると、ストップボタンＢ１〜Ｂ３それぞれに対応するストップスイッチがオフ動作を行い、制御基板に入力されるリール停止信号をオン状態からオフ状態に変化させる。
【００３０】
そして制御基板は、ストップボタンＢ１〜Ｂ３の押下タイミング及び解放タイミングに応じて信号状態が変化するリール停止信号のオフ状態からオン状態への変化に基づいて、内部抽選の結果に応じた停止位置で第１リールＲ１〜第３リールＲ３を停止させる。
【００３１】
また前面下扉ＤＤの下部には、メダル払い出し口ＭＯとメダル受け皿ＭＰとが設けられており、遊技の結果に応じた枚数のメダルがメダル払い出し口ＭＯからメダル受け皿ＭＰへ払い出されるようになっている。
【００３２】
図２は、本実施形態の遊技機の機能ブロック図である。
【００３３】
本実施形態の遊技機は、遊技制御手段（制御基板）１００によって制御される。遊技制御手段１００は、メダル投入スイッチ２１０、ベットスイッチ２２０、スタートスイッチ２３０、ストップスイッチ２４０等の入力手段からの入力信号を受けて、遊技を実行するための各種の演算を行い、演算結果に基づいてリールユニット３１０、ホッパーユニット３２０、表示装置３３０、音響装置３４０等の出力手段の動作制御を行う。遊技制御手段１００の機能は各種のプロセッサ（ＣＰＵ、ＤＳＰなど）、ＡＳＩＣ（ゲートアレイなど）、ＲＯＭ（情報記憶媒体の一例）、あるいはＲＡＭなどのハードウェアや、ＲＯＭなどに予め記憶されている所与のプログラムからなるソフトウェアにより実現される。
【００３４】
そして遊技制御手段１００は、投入受付手段１０５、乱数発生手段１１０、内部抽選手段１２０、リール制御手段１３０、入賞判定手段１４０、払出制御手段１５０、リプレイ処理手段１６０、遊技状態移行制御手段１７０、演出制御手段１８０、記憶手段１９０を含む。
【００３５】
投入受付手段１０５は、遊技毎にメダルの投入を受け付けて、規定投入数（遊技状態に応じて設定される１枚または３枚のいずれか）に相当するメダルが投入されたことに基づいて、スタートレバーＳＬ（遊技開始操作手段）に対する遊技開始操作を有効化する処理を行う。なお本実施形態の遊技機では、規定投入数に相当するメダルの投入に基づいて有効化されたスタートレバーＳＬの最初の押下操作が、遊技開始操作として受け付けられ、第１リールＲ１〜第３リールＲ３の回転を開始させる契機となっているとともに、内部抽選を実行する契機となっている。
【００３６】
また本実施形態の遊技機では、メダル投入口ＭＩにメダルが投入されると、メダル投入スイッチ２１０が作動することに伴って、投入受付手段１０５が、規定投入数を限度として、投入されたメダルを投入状態に設定する。また本実施形態の遊技機では、遊技機にメダルがクレジットされた状態で、ベットボタンＢ０が押下されると、ベットスイッチ２２０が作動することに伴って、投入受付手段１０５が、規定投入数を限度して、クレジットされたメダルを投入状態に設定する。
【００３７】
乱数発生手段１１０は、抽選用の乱数値を発生させる手段である。乱数値は、例えば、０〜６５５３５までの６５５３６個の乱数値を１周期中で重複することなく発生させる１６ビット乱数回路によって発生させることができる。なお本実施形態において「乱数値」には、数学的な意味でランダムに発生する値のみならず、その発生自体は規則的であっても、その取得タイミング等が不規則であるために実質的に乱数として機能しうる値も含まれる。
【００３８】
内部抽選手段１２０は、遊技者がスタートレバーＳＬに対する遊技開始操作（有効化されたスタートレバーＳＬへの最初の押下操作）により作動するスタートスイッチ２３０からのスタート信号に基づいて、役の当否を決定する内部抽選を行う手段であって、抽選テーブル選択処理、乱数判定処理、抽選フラグ設定処理などを行う。
【００３９】
抽選テーブル選択処理では、記憶手段１９０のメイン抽選テーブル記憶手段１９１に格納されている複数の内部抽選テーブルのうち、いずれの内部抽選テーブルを用いて内部抽選を行うかを決定する。本実施形態の遊技機では、メイン抽選テーブル記憶手段１９１に、図３に示すような４種類の内部抽選テーブル（内部抽選テーブル１〜内部抽選テーブル４）が記憶されている。そして各抽選テーブルでは、複数の乱数値（例えば、０〜６５５３５の６５５３６個の乱数値）のそれぞれに対して、リプレイ、小役、およびボーナスなどの各種の役やハズレ（不当選）が対応づけられている。
【００４０】
本実施形態の遊技機では、小役として、小役１〜小役８が用意されており、図４に示すように、小役の当選態様としてベルおよびチェリーが設定されている。
【００４１】
また本実施形態の遊技機では、リプレイが１種類のみ用意されており、リプレイが抽選対象となる内部抽選テーブル１〜内部抽選テーブル３において当選確率が同一となっている。
【００４２】
また本実施形態の遊技機では、ボーナスとして、第１ビッグボーナス（ＢＢ１：第１のボーナスの一例）、第２ビッグボーナス（ＢＢ２：第２のボーナスの一例）、およびチャレンジボーナス（ＣＢ：シフトボーナスの一例）が用意されており、第１ビッグボーナス（ＢＢ１）および第２ビッグボーナス（ＢＢ２）は、内部抽選テーブル１において抽選対象となっており、チャレンジボーナス（ＣＢ）は、内部抽選テーブル２および内部抽選テーブル３において抽選対象となっている。
【００４３】
また本実施形態の遊技機では、遊技状態として、通常状態、ＢＢ１状態（役物非作動状態、役物作動状態）、およびＢＢ２状態が設定可能とされ、抽選テーブル選択処理では、遊技状態に応じて内部抽選テーブル１〜内部抽選テーブル４のいずれか１つを内部抽選で使用する内部抽選テーブルとして選択する。
【００４４】
乱数判定処理では、スタートスイッチ２３０からのスタート信号に基づいて、遊技毎に乱数発生手段１１０から乱数値（抽選用乱数）を取得し、取得した乱数値について記憶手段１９０のメイン抽選テーブル記憶手段１９１に記憶されている内部抽選テーブルを参照して役に当選したか否かを判定する。
【００４５】
抽選フラグ設定処理では、乱数判定処理の結果に基づいて、当選したと判定された役に対応する抽選フラグを非当選状態（第１のフラグ状態、オフ状態）から当選状態（第２のフラグ状態、オン状態）に設定する。本実施形態の遊技機では、２種類以上の役が重複して当選した場合には、重複して当選した２種類以上の役のそれぞれに対応する抽選フラグが当選状態に設定される。なお抽選フラグの設定情報は、記憶手段１９０の抽選フラグ記憶手段１９２に格納される。
【００４６】
また本実施形態の遊技機では、入賞するまで次回以降の遊技に当選状態を持ち越し可能な抽選フラグ（持越可能フラグ）と、入賞の如何に関わらず次回以降の遊技に当選状態を持ち越さずに非当選状態にリセットされる抽選フラグ（持越不可フラグ）とが用意されている。前者の持越可能フラグが対応づけられる役としては、第１ビッグボーナス（ＢＢ１）および第２ビッグボーナス（ＢＢ２）があり、チャレンジボーナス（ＣＢ）、小役、およびリプレイは後者の持越不可フラグに対応づけられている。すなわち抽選フラグ設定処理では、内部抽選でいずれかのビッグボーナスに当選すると、当選したビッグボーナスの抽選フラグの当選状態を、そのビッグボーナスが入賞するまで持ち越す処理を行う。このとき内部抽選手段１２０は、いずれかのビッグボーナスの抽選フラグの当選状態が持ち越されている遊技でも、小役およびリプレイについての当否を決定する内部抽選を行っている。すなわち抽選フラグ設定処理では、いずれかのビッグボーナスの抽選フラグの当選状態が持ち越されている遊技において、小役やリプレイが当選した場合には、既に当選しているビッグボーナスの抽選フラグと内部抽選で当選した小役やリプレイの抽選フラグとからなる２種類以上の役に対応する抽選フラグを当選状態に設定する。
【００４７】
リール制御手段１３０は、遊技者がスタートレバーＳＬへの遊技開始操作により作動するスタートスイッチ２３０からのスタート信号に基づいて、ステッピングモータにより第１リールＲ１〜第３リールＲ３の回転駆動を開始し、第１リールＲ１〜第３リールＲ３が所定速度（約８０ｒｐｍ：１分間あたり約８０回転となる回転速度）で定常回転しているリールに対応するストップボタンＢ１〜Ｂ３（停止操作手段）を押下することによる停止操作を有効化する制御を行うとともに、ステッピングモータにより回転駆動されている第１リールＲ１〜第３リールＲ３を抽選フラグの設定状態（内部抽選の結果）に応じた態様で停止させる制御を行う。
【００４８】
そしてリール制御手段１３０は、ストップボタンＢ１〜Ｂ３に対する停止操作が有効化された状態において、遊技者がストップボタンＢ１〜Ｂ３を押下することによりストップスイッチ２４０が作動すると、ストップスイッチ２４０からのリール停止信号に基づいて、リールユニット３１０のステッピングモータへ全相励磁の駆動パルスを供給することにより、第１リールＲ１〜第３リールＲ３の各リールを停止させる制御を行う。
【００４９】
すなわちリール制御手段１３０は、ストップボタンＢ１〜Ｂ３の各ボタンが押下される毎に、第１リールＲ１〜第３リールＲ３のうち押下されたボタンに対応するリールの停止位置を決定して、決定された停止位置でリールを停止させる制御を行っている。なお本実施形態の遊技機では、ストップボタンＢ１を押下することが第１リールＲ１を停止させるための操作に対応し、ストップボタンＢ２を押下することが第２リールＲ２を停止させるための操作に対応し、ストップボタンＢ３を押下することが第３リールＲ３を停止させるための操作に対応する。すなわち本実施形態の遊技機では、ストップボタンＢ１〜Ｂ３の押下順序が変化すると、第１リールＲ１〜第３リールＲ３の停止順序が変化する。
【００５０】
また本実施形態の遊技機では、第１リールＲ１〜第３リールＲ３について、原則的には、ストップボタンＢ１〜Ｂ３が押下された時点から１９０ｍｓ以内に、押下されたストップボタンに対応する回転中のリールが停止するようになっている。そしてストップボタンの押下時点から１９０ｍｓ以内に回転中のリールを停止させる場合には、回転している各リールの停止位置は、ストップボタンの押下時点からリールが停止するまでに要するコマ数が０コマ〜４コマの範囲（所定の引き込み範囲）で決定される。そして、リール制御手段１３０は、ストップボタンＢ１〜Ｂ３のうち押下操作が行われたストップボタンに対応する回転中のリールの外周面上において、内部抽選で当選した役に対応する図柄が、ストップボタンに対する押下操作が行われた時点で有効ライン上の表示位置に対して０コマ〜４コマの範囲内に位置する場合に、抽選フラグが当選状態に設定されている役に対応する図柄が有効ライン上の表示位置に表示されるように、押下操作が行われたストップボタンに対応する回転中のリールを停止させる制御を行っている。
【００５１】
なお本実施形態では、遊技状態がＢＢ１状態の役物作動状態またはＢＢ２状態である場合には、例外的に、第３リールＲ３について、ストップボタンＢ３が押下された時点から７５ｍｓ以内に、押下されたストップボタンに対応する回転中のリールが停止するようになっている。そしてストップボタンの押下時点から７５ｍｓ以内に回転中の第３リールＲ３を停止させる場合には、回転している第３リールＲ３の停止位置は、ストップボタンＢ３の押下時点から第３リールＲ３が停止するまでに要するコマ数が０コマ〜１コマの範囲（所定の引き込み範囲）で決定される。そして、リール制御手段１３０は、ＢＢ１状態の役物作動状態またはＢＢ２状態において押下操作が行われたストップボタンＢ３に対応する回転中の第３リールＲ３の外周面上において、抽選フラグが当選状態に設定されている役に対応する図柄が、ストップボタンＢ３に対する押下操作が行われた時点で有効ライン上の表示位置に対して０コマ〜１コマの範囲内に位置する場合に、抽選フラグが当選状態に設定されている役に対応する図柄が有効ライン上の表示位置に表示されるように、押下操作が行われたストップボタンＢ３に対応する回転中の第３リールＲ３を停止させる制御を行っている。ただしＢＢ１状態およびＢＢ２状態においても第１リールＲ１および第２リールＲ２については、ストップボタンＢ１，Ｂ２の押下時点から１９０ｍｓ以内に、押下されたストップボタンに対応する回転中のリールが停止するようになっている。
【００５２】
そして本実施形態では、図５に示すように、リールユニット３１０を構成する第１リールＲ１〜第３リールＲ３の外周面に対して、赤７図柄「赤７」、黒バー図柄「黒ＢＡＲ」、白バー図柄「白ＢＡＲ」、特殊バー図柄「ＳＢＡＲ」、ブランク図柄「ＢＫ」、リプレイ図柄「ＲＰ」、ベル図柄「ＢＬ」、スイカ図柄１「ＷＭ１」、スイカ図柄２「ＷＭ２」、チェリー図柄「ＣＨ」が配列されており、押下検出位置から４コマ以内に存在する図柄を有効ライン上に引き込む場合には、各リールの外周面において４コマ以内の間隔で配列されている図柄について、ストップスイッチ２４０の作動時点（ストップボタンの押下が検出された時点）のリールの位置である押下検出位置に関わらずに、有効ライン上に表示させることができるようになっている。
【００５３】
なお本実施形態の遊技機では、リールユニット３１０がフォトセンサからなるリールインデックス３１５を備えており、リール制御手段１３０は、リールが１回転する毎にリールインデックス３１５で検出される基準位置信号に基づいて、リールの基準位置（リールインデックス３１５によって検出されるコマ）からの回転角度（ステッピングモータの回転軸の回転ステップ数）を求めることによって、現在のリールの回転状態を監視することができるようになっている。すなわちリール制御手段１３０は、ストップスイッチ２４０の作動時におけるリールの位置を、リールの基準位置からの回転角度を求めることにより得ることができる。
【００５４】
またリール制御手段１３０は、記憶手段１９０の停止制御テーブル記憶手段１９３に記憶されている停止制御テーブルを参照して回転中のリールの停止位置を決定する。
【００５５】
本実施形態の遊技機では、小役、リプレイ、およびボーナスに関して、「リプレイ＞ボーナス」かつ「ボーナス＞小役」の順序で優先順位が定められており、各役に対応付けられた優先順位に従って、優先順位の高い役の入賞形態を構成する図柄を含む停止位置が選択されるように停止制御テーブルが設定されている。
【００５６】
なお本実施形態の遊技機では、内部抽選で複数種類の小役に係る抽選フラグが当選状態に設定された場合に参照される停止制御テーブルでは、有効ライン上に表示可能な入賞形態を示す図柄組合せの個数に応じて停止位置が設定されている場合（個数優先制御）と、小役について予め定められている配当に基づくメダルの払出数に応じて停止位置が設定されている場合（払出数優先制御）とが存在し、有効ライン上に表示可能な入賞形態を示す図柄組合せの個数に応じて停止位置が設定されている場合には、有効ライン上に表示可能な入賞形態を示す図柄組合せの個数が多くなる停止位置ほど優先されるように押下検出位置に対する停止位置が設定されており、メダルの払出数に応じて停止位置が設定されている場合には、有効ライン上の表示位置に表示されている図柄に対応する小役の配当に基づくメダルの払出数が多くなる停止位置（配当が多い小役を入賞させることができる停止位置）ほど優先されるように押下検出位置に対する停止位置が設定されている。ただし、メダルの払出数に応じて停止位置が設定されている場合に、配当が同一の小役については、それぞれの小役を入賞させることができる停止位置の優先度合いは同一として扱われて押下検出位置に対する停止位置が設定され、有効ライン上に表示可能な入賞形態を示す図柄組合せの個数に応じて停止位置が設定されている場合に、有効ライン上に表示可能な入賞形態を示す図柄組合せの個数が同数となる停止位置の優先度合いは同一として扱われて押下検出位置に対する停止位置が設定されている。
【００５７】
また本実施形態では、内部抽選でベルの当選態様を得た場合に、遊技状態に応じて個数優先制御によって停止位置が設定されている場合と払出数優先制御によって停止位置が設定されている場合とがあり、通常状態ではベルの当選時に個数優先制御によって小役２（第２の小役の一例）、小役５（第２の小役の一例）、小役７（第２の小役の一例）、または小役８（第２の小役の一例）が入賞可能となるように押下検出位置に対する停止位置が設定されており、ＢＢ１状態の役物非作動状態ではベルの当選時に払出数優先制御によって小役１（第１の小役の一例）が入賞するように押下検出位置に対する停止位置が設定されている。
【００５８】
また本実施形態では、ＢＢ１状態の役物作動状態では、規定投入数が１枚に設定されて全ての小役について配当が１枚となり、停止操作の態様に関わらずに小役１〜小役８のいずれかが入賞するように押下検出位置に対する停止位置が設定されている。
【００５９】
また本実施形態では、ＢＢ２状態では、第３リールＲ３を最初に停止させるか否かで制御内容が異なり、第１リールＲ１または第２リールＲ２を最初に停止させる場合には、小役６の入賞を優先し、小役６を入賞させることができない場合に小役２、小役７、または小役８が入賞可能となるように押下検出位置に対する停止位置が設定されており、第３リールＲ３を最初に停止させる場合には、小役４の入賞を優先し、小役４を入賞させることができない場合に小役２または小役５が入賞可能となるように押下検出位置に対する停止位置が設定されている。
【００６０】
入賞判定手段１４０は、第１リールＲ１〜第３リールＲ３の停止態様に基づいて、役が入賞したか否かを判定する入賞判定処理を行う。具体的には、記憶手段１９０の入賞判定テーブル記憶手段１９４に記憶されている入賞判定テーブルを参照しながら、第１リールＲ１〜第３リールＲ３の全てが停止した時点で有効ライン上に表示されている図柄組合せが、予め定められた役の入賞の形態であるか否かなどを判定する。そして、各リールが停止した状態における有効ライン上に表示された図柄組合せによって、図６および図７に示すように、第１ビッグボーナス（ＢＢ１）、第２ビッグボーナス（ＢＢ２）、チャレンジボーナス（ＣＢ）、リプレイ、小役１〜小役８の入賞の有無が判定できるように入賞判定テーブルが用意されている。なお図７における小役３の「ＡＮＹ」とは、いずれの図柄が表示されてもよいことを示している。
【００６１】
そして本実施形態の遊技機では、入賞判定手段１４０の判定結果に基づいて、入賞時処理が実行される。入賞時処理としては、例えば、小役が入賞した場合には払出制御手段１５０によってメダルの払出制御処理が行われ、リプレイが入賞した場合にはリプレイ処理手段１６０によってリプレイ処理が行われ、ボーナスが入賞した場合には遊技状態移行制御手段１７０によって遊技状態を移行させる遊技状態移行制御処理が行われる。
【００６２】
払出制御手段１５０は、遊技結果に応じたメダルの払い出しに関する払出制御処理を行う。具体的には、小役が入賞した場合に、役毎に予め定められている配当に基づいて遊技におけるメダルの払出数を決定し、決定された払出数に相当するメダルを、ホッパーユニット３２０（払出装置）に払い出させる制御を行う。
【００６３】
ホッパーユニット３２０は、払出制御手段１５０によって指示された払出数のメダルを払い出す動作を行う。ホッパーユニット３２０には、メダルを１枚払い出す毎に作動する払出メダル検出スイッチ３２５が備えられており、払出制御手段１５０は、払出メダル検出スイッチ３２５からの入力信号に基づいてホッパーユニット３２０から実際に払い出されたメダルの数を管理することができるように構成されている。
【００６４】
なおメダルのクレジット（内部貯留）が許可されている場合には、ホッパーユニット３２０によって実際にメダルの払い出しを行う代わりに、記憶手段１９０のクレジット記憶領域（図示省略）に記憶されているクレジット数（クレジットされたメダルの数）に対して払出数を加算するクレジット加算処理を行って仮想的にメダルを払い出す処理を行う。
【００６５】
リプレイ処理手段１６０は、リプレイが入賞した場合に、次回の遊技に関して遊技者の所有するメダルの投入を要さずに前回の遊技と同じ準備状態に設定するリプレイ処理（再遊技処理）を行う。すなわち本実施形態の遊技機では、リプレイが入賞した場合には、次回の遊技を行わせるために必要な規定投入数に相当する枚数のメダルを遊技者の手持ちのメダル（クレジットメダルを含む）を使わずに自動的に投入する自動投入処理が行われ、規定投入数に対応する有効ラインを設定した状態で次回のスタートレバーＳＬに対する遊技開始操作を待機する。
【００６６】
遊技状態移行制御手段１７０は、図８（Ａ）および図８（Ｂ）に示すように、通常状態、ＢＢ１状態（役物非作動状態、役物作動状態）、およびＢＢ２状態の間で遊技状態を移行させる遊技状態移行制御処理を行う。遊技状態の移行条件は、１の条件が定められていてもよいし、複数の条件が定められていてもよい。複数の条件が定められている場合には、複数の予め定められた条件のうち１の条件が成立したこと、あるいは複数の予め定められた条件の全てが成立したことに基づいて、遊技状態を別の遊技状態へ移行させることができる。
【００６７】
通常状態は、複数種類の遊技状態の中で初期状態に相当する遊技状態で、規定投入数が３枚に設定され、通常状態からはＢＢ１状態またはＢＢ２状態への移行が可能となっている。具体的には、通常状態において、第１ビッグボーナス（ＢＢ１）が入賞した場合にＢＢ１状態へ移行し、第２ビッグボーナス（ＢＢ２）が入賞した場合にＢＢ２状態へ移行する。なお本実施形態では、第１ビッグボーナス（ＢＢ１）は、停止操作の態様に関わらずに入賞させることができるように入賞形態を示す図柄組合せが設定されており、通常状態で第１ビッグボーナス（ＢＢ１）が当選すると必ずその遊技で入賞し、第２ビッグボーナス（ＢＢ２）についても、停止操作の態様に関わらずに入賞させることができるように入賞形態を示す図柄組合せが設定されており、通常状態で第２ビッグボーナス（ＢＢ２）が当選すると必ずその遊技で入賞する。また通常状態では、図３に示す内部抽選テーブル１〜内部抽選テーブル４のうち、リプレイの当選確率が約１／７．３に設定され、かつ第１ビッグボーナス（ＢＢ１）および第２ビッグボーナス（ＢＢ２）がいずれも抽選対象として設定されている内部抽選テーブル１を参照した内部抽選が行われる。
【００６８】
ＢＢ１状態（第１ボーナス状態の一例）は、第１ビッグボーナス（ＢＢ１）の入賞形態を示す図柄組合せが有効ライン上に表示されたことを契機として移行する遊技状態であり、図８（Ｂ）に示すように、ＢＢ１状態の終了条件が成立するまで、役物非作動状態と役物作動状態との間で遊技状態が移行するようになっている。ＢＢ１状態では、図４に示す内部抽選テーブル１〜内部抽選テーブル４のうち内部抽選テーブル２または内部抽選テーブル３のいずれかを参照した内部抽選が行われる。
【００６９】
役物非作動状態は、第１ビッグボーナス（ＢＢ）の入賞によってＢＢ１状態が開始される際に設定される遊技状態で、役物非作動状態では、規定投入数が３枚に設定され、ＢＢ１状態で使用される内部抽選テーブル２または内部抽選テーブル３のうち小役およびリプレイの当選確率が内部抽選テーブル１と同一に設定され、かつチャレンジボーナス（ＣＢ）が抽選対象として設定されている内部抽選テーブル２を参照した内部抽選が行われる。
【００７０】
また役物非作動状態からは役物作動状態へ移行することができ、役物非作動状態においてチャレンジボーナス（ＣＢ）が入賞すると役物作動状態に移行する。なお本実施形態では、チャレンジボーナス（ＣＢ）は、停止操作の態様に関わらずに入賞させることができるように入賞形態を示す図柄組合せが設定されており、役物非作動状態でチャレンジボーナス（ＣＢ）が当選すると必ずその遊技で入賞する。また本実施形態では、役物作動状態が終了した場合にも役物非作動状態に移行する。
【００７１】
役物作動状態は、チャレンジボーナス（ＣＢ）が入賞したことによって移行する遊技状態で、役物作動状態では、規定投入数が１枚に設定され、ＢＢ１状態で使用される内部抽選テーブル２または内部抽選テーブル３のうちリプレイおよびチャレンジボーナス（ＣＢ）のみが抽選対象として設定され、かつリプレイおよびチャレンジボーナス（ＣＢ）の当選確率が内部抽選テーブル２と同一に設定されている内部抽選テーブル３を参照した内部抽選が行われる。そして役物作動状態では、いわゆる第２種特別役物が作動することによって内部抽選の結果に関わらずに小役１〜小役８の抽選フラグが強制的に当選状態に設定され、第３リールＲ３の引き込み範囲が０コマ〜２コマとなり、第１リールＲ１および第２リールＲ２の引き込み範囲が０コマ〜４コマとなるボーナス遊技が実行される。
【００７２】
また役物作動状態では、１回のボーナス遊技が行われたことよって終了条件が成立したと判断され、遊技状態移行制御手段１７０は、役物作動状態の終了条件が成立した際にＢＢ１状態の終了条件が成立していなければ遊技状態を役物非作動状態へ復帰させる制御を行う。
【００７３】
なお本実施形態において役物作動状態では規定投入数が１枚であるため、全ての小役の配当が１枚となり、停止操作の態様に関わらずに小役を入賞させることができるが、メダルの投入数と同数の１枚のメダルの払い出ししか受けることができない。
【００７４】
またＢＢ１状態では、ＢＢ１状態での遊技によって払い出されたメダルの合計数により終了条件が成立したか否かを判断し、予め定められた所定枚数（例えば、１５３枚）を超えるメダルが払い出されると、遊技状態移行制御手段１７０は、ＢＢ１状態を終了させて、遊技状態を通常状態へ復帰させる制御を行う。
【００７５】
ＢＢ２状態（第２ボーナス状態）は、第２ビッグボーナス（ＢＢ２）の入賞形態を示す図柄組合せが有効ライン上に表示されたことを契機として移行する遊技状態であり、規定投入数が３枚に設定され、図４に示す内部抽選テーブル１〜内部抽選テーブル４のうち全ての乱数値がハズレに割り当てられている内部抽選テーブル４を参照した内部抽選が行われる。そしてＢＢ２状態では、毎回の遊技において内部抽選の結果に関わらずに小役１〜小役８の抽選フラグが強制的に当選状態に設定され、第３リールＲ３の引き込み範囲が０コマ〜２コマとなり、第１リールＲ１および第２リールＲ２の引き込み範囲が０コマ〜４コマとなるボーナス遊技が実行される。なおＢＢ２状態ではＢＢ１状態とは異なり、役物非作動状態が存在せず、ＢＢ２状態の終了条件が成立するまで第２種特別役物が連続作動してボーナス遊技を実行するようになっている。
【００７６】
またＢＢ２状態では、ＢＢ２状態での遊技によって払い出されたメダルの合計数により終了条件が成立したか否かを判断し、予め定められた所定枚数（例えば、１４枚）を超えるメダルが払い出されると、遊技状態移行制御手段１７０は、ＢＢ２状態を終了させて、遊技状態を通常状態へ復帰させる制御を行う。
【００７７】
なお本実施形態においてＢＢ２状態では１４枚を超えるメダルの払い出しで終了するため、１回目のボーナス遊技で小役６を入賞させて１４枚のメダルの払い出しを受ければ、ＢＢ２状態の終了条件が成立しないので２回目のボーナス遊技を行うことができ、一方で１回目のボーナス遊技で小役４を入賞させて１５枚のメダルの払い出しを受けると、その遊技でＢＢ２状態の終了条件が成立して２回目のボーナス遊技を行うことができない。このため、１回目のボーナス遊技で小役４を入賞させた場合には、ＢＢ２状態でのメダルの総払出数は１５枚でありメダルの増加数は１２枚（１５枚−３枚）となるが、１回目のボーナス遊技で小役６を入賞させて２回目のボーナス遊技で小役４を入賞させた場合には、ＢＢ２状態でのメダルの総払出数は２９枚となりメダルの増加数が２３枚（２９枚−６枚）となり、ＢＢ２状態で獲得できるメダルの数を増やすことができる。
【００７８】
演出制御手段１８０は、演出データ記憶手段１９５に記憶されている演出データに基づいて、表示装置３３０（演出装置の一例）を用いて行う表示演出や音響装置３４０（演出装置の一例）を用いて行う音響演出に関する制御を行う。例えば、メダルの投入やベットボタンＢ０、スタートレバーＳＬ、ストップボタンＢ１〜Ｂ３に対する操作、遊技状態の変動などの遊技イベントの発生に応じてランプやＬＥＤを点灯あるいは点滅させたり、液晶ディスプレイＬＣＤの表示内容を変化させたり、スピーカから音を出力させたりすることにより、遊技を盛り上げたり、遊技を補助するための演出の実行制御を行う。
【００７９】
特に本実施形態では、演出制御手段１８０が、ＢＢ２状態において１回目のボーナス遊技と２回目のボーナス遊技とにおいて異なる演出画像を液晶ディスプレイＬＣＤに表示させる演出を行うことにより、各ボーナス遊技において小役６または小役４のいずれを入賞させるべきかを示唆する。
【００８０】
具体的には、１回目のボーナス遊技においては、キャラクタＡが登場し、その背景について赤色を基調とした演出画像を液晶ディスプレイＬＣＤに表示させ、２回目のボーナス遊技においては、キャラクタＢが登場し、その背景について青色を基調とした演出画像を液晶ディスプレイＬＣＤに表示させる。これにより遊技者は、演出画像の違いによって各ボーナス遊技で第１リールＲ１〜第３リールＲ３について第３リールＲ３から停止させるべきか否かを判断して遊技者が適切に小役を入賞させることができるようになっている。
【００８１】
なお本実施形態の機能ブロック構成は、コンピュータシステム（ゲームシステムを含む）に関しても適用することができる。これらのシステムでは、本実施形態の遊技制御手段１００としてコンピュータを機能させるプログラムを、ＣＤ、ＤＶＤ等の情報記憶媒体あるいはインターネット上のＷｅｂサーバからネットワークを介してダウンロードすることによって、その機能を実現することができる。また上記コンピュータシステムでは、メダル投入スイッチ２１０、ベットスイッチ２２０、スタートスイッチ２３０、ストップスイッチ２４０等は、キーボードやポインティングデバイス（マウス等）、あるいはコントローラなどの操作手段に対してそれらの機能を仮想的に割り当てることにより実現することができる。また上記コンピュータシステムでは、リールユニット３１０、ホッパーユニット３２０などは必須の構成要件ではなく、これらの装置ユニットは、ディスプレイ（表示装置３３０）に表示出力される画像の制御によってそれらの機能を仮想的に実現することができる。
【００８２】
２．本実施形態の手法
本実施の形態では、内部抽選の結果に関わらずに小役の抽選フラグが当選状態に設定される第２種特別役物を作動可能な遊技状態として、ＢＢ１状態とＢＢ２状態とを設けており、ＢＢ１状態をメダルの獲得に関して不利な遊技状態とする一方で、ＢＢ２状態をメダルの獲得に関して有利な遊技状態として、通常状態においてＢＢ２状態への移行契機となる第２ビッグボーナス（ＢＢ２）を高確率で抽選するようにしている。これにより本実施の形態では、ＢＢ１状態において遊技者の手持ちのメダルを消費させ、ＢＢ１状態の終了により通常状態に復帰すると、第１ビッグボーナス（ＢＢ１）が当選するまでＢＢ２状態へ高頻度に移行させて遊技者が手持ちのメダルを増加させることができる遊技仕様を実現している。
【００８３】
具体的に説明すると、ＢＢ１状態では、役物非作動状態と役物作動状態との間で遊技状態が遷移し、役物非作動状態では、通常状態と同じ抽選態様で小役およびリプレイの当否が決定され、役物作動状態では、第２種特別役物の作動によって内部抽選の結果に関わらずに小役の抽選フラグが当選状態に設定されるが、規定投入数が１枚であることに伴って全ての小役の配当が１枚になっていることから、いずれの小役が入賞してもメダルの投入数と同数のメダルの払い出しが行われる。すなわちＢＢ１状態では、役物作動状態によるメダルの増加を見込めないようになっている。
【００８４】
また本実施の形態では、通常状態とＢＢ１状態の役物非作動状態との双方において抽選対象となっているベルの当選時には、各状態において異なる制御則が適用され、通常状態ではベルの当選態様を得た場合に個数優先制御によって１枚小役が入賞する一方で、ＢＢ１状態の役物非作動状態ではベルの当選態様を得た場合に払出数優先制御によって１５枚小役が入賞するようになっている。このため、ＢＢ１状態の役物非作動状態は通常状態よりもメダルの獲得性能が高くなる。
【００８５】
このように通常状態よりも有利な役物非作動状態および役物作動状態を含むＢＢ１状態は、通常状態よりもメダルの獲得性能が高くなるといえるが、本実施の形態では、ＢＢ１状態を不利な遊技状態として遊技者の手持ちのメダルを消費させる役割があるため、できるだけＢＢ１状態のメダルの獲得性能が通常状態に近づくように低くすることが望まれる。しかしながらＢＢ１状態のメダルの獲得性能を低くすることによってＢＢ１状態が、遊技機に関する技術上の規格で予め定められている役物連続作動装置としての性能を満たすことができないことを考慮する必要がある。
【００８６】
そして本実施の形態では、通常状態を第２ビッグボーナス（ＢＢ２）の高確率状態として、ＢＢ２状態でのメダルの獲得性能を上げたり、通常状態での第２ビッグボーナス（ＢＢ２）の当選確率を上げたりすることは主たるメダルの獲得性能を向上させることに繋がるが、それに伴い、通常状態とＢＢ２状態とを含めた遊技、言い換えればＢＢ１状態を除く遊技でのメダルの獲得性能を向上させることになり、ＢＢ１状態のメダルの獲得性能を低下させるという設計目標に対してトレードオフの関係が生じることになる。このため、ＢＢ１状態でのメダルの獲得性能をできる限り下げるためには、ＢＢ２状態でのメダルの獲得性能の設計に関する工夫が必要となる。
【００８７】
そこで本実施の形態では、ＢＢ２状態において入賞に伴うメダルの払出数がメダルの投入数よりも多くなる小役について、その小役の入賞させることができる押下検出位置の組合せがその小役を入賞させることができない押下検出位置の組合せよりも少なくなるようにしてメダルの増加が発生し得る小役の入賞率を下げることによってＢＢ２状態でのメダルの獲得が遊技者の技量に影響されるようにすることでＢＢ２状態のメダルの獲得性能を遊技者の技量に応じて変動するものとして、ＢＢ２状態でのメダルの獲得期待値を下げた分だけＢＢ１状態のメダルの獲得性能を通常状態に近づくように低くする手法を採用している。
【００８８】
まず本実施の形態では、ＢＢ２状態において、小役１〜小役８の抽選フラグが必ず当選状態に設定され、これらの小役のうちメダルの投入数（３枚）よりメダルの払出数が多くなる小役は、小役１（１５枚）、小役３（１５枚）、小役４（１５枚）、および小役６（１４枚）である。ただし、本実施の形態では、ＢＢ２状態において、小役１および小役３については入賞させることができないように払出数優先制御と個数優先制御とを使い分けている。
【００８９】
具体的に説明すると、ＢＢ２状態では、第１リールＲ１または第２リールＲ２を最初に押下する順序では、小役６の入賞を優先し、小役６を入賞させることができない場合には小役２、小役７、または小役８のいずれかが入賞可能となるようにリールの停止位置を決定する。そして本実施の形態では、第１リールＲ１または第２リールＲ２を最初に停止させる際に個数優先制御によって小役６の入賞形態を構成するブランク図柄「ＢＫ」を優先的に有効ライン上に表示し、ブランク図柄「ＢＫ」を引き込み範囲に含まない押下検出位置で停止操作が行われた場合には、個数優先制御によって小役２の入賞形態を構成するスイカ図柄１「ＷＭ１」またはスイカ図柄２「ＷＭ２」を有効ライン上に表示させるように停止位置を決定することによって小役１、小役３、および小役５の入賞が発生することを回避している。なお第１リールＲ１および第２リールＲ２を停止させた時点で有効ライン上にブランク図柄「ＢＫ」が揃って停止している場合、小役６および小役８について入賞の可能性が残ることになるが、第３リールＲ３を停止させる際には払出数優先制御によって小役６の入賞形態を構成するスイカ図柄２「ＷＭ２」を優先的に有効ライン上に表示させるように停止位置が決定される。
【００９０】
また第３リールＲ３を最初に停止させる順序では、小役４の入賞を優先し、小役４を入賞させることができない場合には、小役２または小役５のいずれかが入賞可能となるようにリールの停止位置を決定する。そして本実施の形態では、第３リールＲ３を最初に停止させる際に払出数優先制御によって小役４の入賞形態を構成する特殊バー図柄「ＳＢＡＲ」を優先的に有効ライン上に表示し、特殊バー図柄「ＳＢＡＲ」を引き込み範囲内に含まない押下検出位置で停止操作が行われた場合には、個数優先制御によって特殊バー図柄「ＳＢＡＲ」以外の図柄を有効ライン上に表示させるように停止位置を決定する。ここで特殊バー図柄「ＳＢＡＲ」以外の図柄を有効ライン上に表示させるように第３リールＲ３を停止させた場合には、第３リールＲ３の停止時点で小役１、小役３、または小役４の入賞の可能性が残る場合があるが、第３リールＲ３を停止させた後に第１リールＲ１および第２リールＲ２を停止させる際に、個数優先制御によって小役２の入賞形態を構成するスイカ図柄１「ＷＭ１」やスイカ図柄２「ＷＭ２」を優先的に有効ライン上に表示させるように停止位置を決定することで小役１、小役３、および小役４の入賞が発生することを回避している。
【００９１】
このようにＢＢ２状態では、入賞に伴うメダルの払出数がメダルの投入数よりも多くなる小役のうち入賞させることが可能となる小役として、小役４と小役６とが用意されているが、小役４については、小役４を入賞させることができる押下検出位置の組合せの数が５０であるのに対して、小役４を入賞させることができない押下検出位置の組合せの数が７９５０となり、小役６についても、小役６を入賞させることができる押下検出位置の組合せの数が５０であるのに対して、小役６を入賞させることができない押下検出位置の組合せの数が７９５０となっている。
【００９２】
そして本実施の形態では、ＢＢ２状態のボーナス遊技では第１リールＲ１または第２リールＲ２を最初に停止させる場合には、小役６が入賞可能である一方で小役４を入賞させることはできず、第３リールＲ３を最初に停止させる場合には、小役４が入賞可能である一方で小役６を入賞させることができない。このためＢＢ２状態のボーナス遊技では、メダルの払出数がメダルの投入数よりも多くなる小役の引き込み確率はいずれの操作順序においても１／６０（５０／８０００）となる。
【００９３】
このように本実施の形態では、ＢＢ２状態のボーナス遊技におけるメダルの獲得に関して遊技者の停止操作の技量を必要とするように、メダルの払出数がメダルの投入数より多くなる小役について、入賞を可能とする押下検出位置の組合せが入賞させることができない押下検出位置の組合せよりも少なくなるようにすることによって、ＢＢ２状態でのメダルの獲得期待値を下げることができる。これにより、ＢＢ２状態において入賞に伴うメダルの払出数がメダルの投入数より多くなる小役を遊技者の操作技量に依らずに入賞可能とした場合に比べて通常状態とＢＢ２状態とを含む遊技でのメダルの獲得性能を下げることができるので、ＢＢ１状態のメダルの獲得性能を低く設計する上での自由度を高めることができ、その結果、ＢＢ１状態のメダルの獲得性能を下げてもＢＢ１状態が役物連続作動装置としての性能を満たすことができる設計が実現可能となる。
【００９４】
また本実施の形態では、ＢＢ１状態において、通常状態と同じ確率で小役の当否が決定され、チャレンジボーナス（ＣＢ）を抽選対象とする非ボーナス遊技と、チャレンジボーナス（ＣＢ）の入賞によって実行可能となり、非ボーナス遊技よりも小役の入賞率が高いボーナス遊技とを設定可能とし、ＢＢ２状態において、非ボーナス遊技を介さずにボーナス遊技を実行可能としているので、ＢＢ２状態をＢＢ１状態よりも有利な遊技状態として、ＢＢ１状態におけるメダルの獲得性能を通常状態におけるメダルの獲得性能と同程度にまで下げる設計が可能となる。
【００９５】
また本実施の形態では、ＢＢ１状態におけるボーナス遊技では、小役が入賞した場合のメダルの払出数がメダルの投入数と同数であることによって、ＢＢ１状態のボーナス遊技によっては遊技者の手持ちのメダルが増加しないようにすることができるのでＢＢ１状態のメダルの獲得性能を下げやすくなる。
【００９６】
また本実施の形態では、ＢＢ１状態における非ボーナス遊技でベルの当選態様を得た場合には停止操作の態様に関わらずに１５枚小役が入賞し、通常状態の遊技においてベルの当選態様を得た場合には停止操作の態様に関わらずに１枚小役が入賞するようにリールの停止位置を決定するので、通常状態の遊技とＢＢ１状態の非ボーナス遊技とでは小役の当選確率が同一であっても通常状態の遊技よりもＢＢ１状態の非ボーナス遊技の方がメダルを獲得しやすくすることができるのでＢＢ１状態のメダルの獲得性能を好適に調整することができる。
【００９７】
なお本実施の形態では、主たるメダルの獲得性能を担う有利な遊技状態をＢＢ２状態の１種類としたが、有利な遊技状態を複数種類としてもよく、その場合に、複数種類の有利な遊技状態の一部または全部において本実施形態の手法が適用可能である。
【００９８】
また本実施の形態では、主たるメダルの獲得性能を担う有利な遊技状態を第２種特別役物の連続作動装置に相当するものとしたが、単独で作動する第２種特別役物、単独で作動する第１種特別役物、第１種特別役物の連続作動装置、または普通役物として設けるようにして、これらの役物の作動中の遊技においてメダルの投入数よりも多くのメダルの払い出しを受けることができる小役の引き込み確率を低く設定してメダルの獲得期待値を下げるようにしてもよい。
【００９９】
例えば、第１種特別役物または普通役物が作動する遊技における抽選対象として小役１〜小役８が重複して当選する小役の当選態様を設けておき、第１リールＲ１〜第３リールＲ３を停止させる際に、各リールにおいて、小役４の入賞形態を構成する特殊バー図柄「ＳＢＡＲ」を引き込み範囲内に含む押下検出位置で停止操作が行われた場合には、払出数優先制御によって特殊バー図柄「ＳＢＡＲ」を有効ライン上に表示させるようにリールの停止位置を決定し、特殊バー図柄「ＳＢＡＲ」を引き込み範囲内に含まない押下検出位置で停止操作が行われた場合には、個数優先制御によって小役２、小役７、または小役８が入賞可能となるようにリールの停止位置を決定するようにしてもよい。すなわち小役１〜小役８が重複して当選する小役の当選態様を得た場合には、メダルの払出数がメダルの投入数より多くなる小役１、小役３、小役４、小役６のうち小役４のみが入賞可能となり、小役１、小役３、および小役４については個数優先制御を利用して入賞させることができないようにすることで、主たるメダルの獲得性能を担う役物の作動中の遊技におけるメダルの獲得期待値を下げることができる。なお小役４や小役６が単独で当選する小役の当選態様を別途設けるようにしてもよい。
【０１００】
また単独で作動する第１種特別役物、第１種特別役物の連続役物作動装置、または普通役物を設ける場合には、これらの役物の作動中の遊技に限って抽選対象となる小役を設けるようにして、この小役に対して本実施の形態の手法を適用するようにしてもよい。
【符号の説明】
【０１０１】
ＢＸ  収納箱、ＵＤ  前面上扉、ＤＤ  前面下扉、ＤＷ  表示窓、
Ｌ１  有効ライン、ＤＳ  遊技情報表示部、ＬＣＤ  液晶ディスプレイ、
Ｒ１  第１リール、Ｒ２  第２リール、Ｒ３  第３リール、
Ｂ０  ベットボタン、ＳＬ  スタートレバー、Ｂ１〜Ｂ３  ストップボタン、
ＭＩ  メダル投入口、ＭＯ  メダル払い出し口、ＭＰ  メダル受け皿、
１００  遊技制御手段、１０５  投入受付手段、１１０  乱数発生手段、
１２０  内部抽選手段、１３０  リール制御手段、１４０  入賞判定手段、
１５０  払出制御手段、１６０  リプレイ処理手段、１７０  遊技状態移行制御手段、
１８０  演出制御手段、１９０  記憶手段、
１９１  メイン抽選テーブル記憶手段、１９２  抽選フラグ記憶手段、
１９３  停止制御テーブル記憶手段、１９４  入賞判定テーブル記憶手段、
１９５  演出データ記憶手段、１９６  サブ抽選テーブル記憶手段、
２１０  メダル投入スイッチ、２２０  ベットスイッチ、２３０  スタートスイッチ、
２４０  ストップスイッチ、３１０  リールユニット、３１５  リールインデックス、
３２０  ホッパーユニット、３２５  払出メダル検出スイッチ、
３３０  表示装置、３４０  音響装置
【図１】
2020151299.tif 000003
【図２】
2020151299.tif 000004
【図３】
2020151299.tif 000005
【図４】
2020151299.tif 000006
【図５】
2020151299.tif 000007
【図６】
2020151299.tif 000008
【図７】
2020151299.tif 000009
【図８】
2020151299.tif 000010